(57)【要約】  【課題】アクチュエータと羽根の両方を、地板の同じ側の面に取り付けて薄型化を可能にしているカメラ用羽根駆動装置を提供すること。  【解決手段】絞り羽根４とシャッタ羽根５は、各々地板１の羽根軸１ｆ，１ｇに取り付けられ、隔壁板６は両方の羽根軸１ｆ，１ｇに取り付けられている。二つの永久磁石回転子２，３は、各々地板１の回転軸１ｈ，１ｉに取り付けられている。また、巻回部７ａにコイル８を巻回し、ヨーク９，１０を取り付けた一方のボビン部材７は、孔７ｂを回転軸１ｈの先端に嵌合させ、ねじ１１によって地板１の取付部１ｊに取り付けられている。更に、巻回部１２ａにコイル１３を巻回し、ヨーク１４，１５を取り付けた他方のボビン部材１２は、孔１２ｂを回転軸１ｉの先端に嵌合させ、ねじ１６によって地板１の取付部１ｋに取り付けられている。【選択図】  図３
2005156616.tif 000002
【特許請求の範囲】
【請求項１】
撮影光路用の開口部を有している地板と、前記撮影光路用の開口部といずれか一方によって露光開口を規制する撮影光路用の開口部を有していて前記地板の一方の面に所定の間隔を空けて取り付けられている隔壁板と、前記地板と前記隔壁板との間に配置されていて前記地板に回転可能に取り付けられている少なくとも１枚の羽根と、前記露光開口の側方位置において前記隔壁板を間にして前記地板に取り付けられている固定子と、前記地板と前記固定子との間において往復回転可能に配置されていてその出力ピンによって前記羽根を露光開口に進退させる永久磁石回転子と、を備えていることを特徴とするカメラ用羽根駆動装置。
【請求項２】
前記地板の前記一方の面に少なくとも一つの羽根軸が設けられており、前記羽根は、該羽根軸に回転可能に取り付けられ、前記隔壁板は、該羽根軸によって位置決めされていることを特徴とする請求項１に記載のカメラ用羽根駆動装置。
【請求項３】
前記固定子が、コイルを巻回したボビン部材と、該ボビン部材に取り付けられた少なくとも一つのヨークとからなっていて、該ボビン部材を前記地板に取り付けていることを特徴とする請求項１又は２に記載のカメラ用羽根駆動装置。
【請求項４】
前記永久磁石回転子が、前記地板又は前記ボビン部材に設けた回転軸に回転可能に取り付けられて、該回転軸の先端部が、前記固定子の前記地板への取付時における位置決めの役目をしていることを特徴とする請求項３に記載のカメラ用羽根駆動装置。
【請求項５】
前記地板が、切欠部を有していて、そこに、他方の面に突き出ないようにして前記コイルを受け入れていることを特徴とする請求項３又は４に記載のカメラ用羽根駆動装置。
【請求項６】
前記羽根と、前記固定子と、前記回転子とが、もう一組備えられていることを特徴とする請求項１乃至５の何れかに記載のカメラ用羽根駆動装置。
【発明の詳細な説明】
【技術分野】
【０００１】
本発明は、シャッタ羽根や絞り羽根などの羽根をアクチュエータで駆動するようにしたカメラ用羽根駆動装置に関する。
【背景技術】
【０００２】
カメラに採用されているレンズシャッタ装置，絞り装置，フィルタ装置は、各々１枚又は複数枚の羽根を有していて、それらをアクチュエータによって往復作動させるようになっている。そして、それらの装置は、それぞれを独立したユニットとして構成することもあるが、それらのうちの二者、又は三者を一つのユニットとして構成することもある。それらのうち、レンズシャッタ装置としてユニット化されたものの典型例が、下記の特許文献１に記載されている。また、上記のような各装置に備えられている羽根は、シャッタ装置においてはシャッタ羽根、絞り装置においては絞り羽根と称されているが、フィルタ装置の場合には一般的な呼称がない。そのため、以下においては、シャッタ羽根や絞り羽根と区別するために、フィルタ羽根と称することにする。
【０００３】
ところで、小型のレンズシャッタ装置の場合には、シャッタ羽根を２枚としたものが多いが、中には１枚としたものもある。また、絞り装置の場合には、絞り羽根を複数枚備えたものもあるが、デジタルスチルカメラや携帯用情報端末装置に用いられる小型の絞り装置の場合には、小さい円形の開口部を有した１枚の絞り羽根を備えたものが普通になっている。更に、フィルタ装置の場合も、上記の絞り羽根と類似の形状（但し、その開口部は、露光開口と略同じ大きさの場合もある）をした１枚の羽根部材に、その開口部を覆うようにしてＮＤフィルタ板を取り付けたものが普通となっている。しかしながら、ＮＤフィルタ板も羽根部材として製作し、上記のような開口部を有する２枚の羽根部材の間に重合させ、それらの３枚の羽根部材をフィルタ羽根として、同時に同角度範囲で往復回転させるようにしたものもある。
【特許文献１】特開２００１−１１７１３７号公報
【発明の開示】
【発明が解決しようとする課題】
【０００４】
ところで、最近では、デジタルスチルカメラがかなり小型化されてきており、中でも薄型化されたものが特に注目を集めるようになってきている。そのため、シャッタ装置，絞り装置，フィルタ装置を上記のようにしてユニット化する場合にも、小型であることは勿論のこと、光軸方向の寸法を小さくして薄型化したものであることが要求されている。また、最近の携帯電話やＰＤＡなどの携帯用情報端末装置は、カメラ付きのものが主流になってきたため、それらの携帯用情報端末装置に組み込めるようにするためにも、それらのユニットは、小型であるばかりでなく、これまで以上に薄型化することが要求されている。しかも、そのように小型で薄型化されたものは、銀塩フィルムカメラに用いても好適なものであることは言うまでもない。
【０００５】
ところが、これまでのユニットの場合は、上記の特許文献１にも記載されているように、地板（シャッタ地板）の一方の面にはアクチュエータ（モータ）が取に付けられており、他方の面には、羽根室を構成するために所定の間隔を空けて、板部材（補助地板）が取り付けられていた。従って、ユニットの薄型化を図るためには、アクチュエータ自体の構成を扁平型（薄型）にしたり、羽根（シャッタ羽根）を薄くしたりするほか、地板（シャッタ地板）と板部材（補助地板）を、出来るだけ薄くするようにしていた。
【０００６】
しかしながら、地板（シャッタ地板）の場合には、複雑な形状にしなくてはならないために、通常は合成樹脂製であることと、アクチュエータ（モータ）や羽根（シャッタ羽根）などを取り付けなければならないために、板部材（補助地板）のように薄くすることはできない。他方、板部材（補助地板）の場合には、薄くすると、特許文献１にも記載されているように、羽根（シャッタ羽根）を取り付けるために設けられた地板（シャッタ地板）の軸の先端や、アクチュエータ（モータ）の出力ピン（駆動ピン）の先端が、板部材（補助地板）を貫通して、常に羽根室外へ突き出た構成になってしまう。何故なら、それらの軸や出力ピン（駆動ピン）の先端を短くしてしまうと、羽根（シャッタ羽根）の作動によって板部材（補助地板）が撓まされ、軸や出力ピン（駆動ピン）と羽根（シャッタ羽根）との嵌合が、外れてしまうおそれがあるからである。従って、そのように軸や出力ピン（駆動ピン）の先端が羽根室外に突き出たユニット構成では、カメラ内や携帯用情報端末装置内における他の構成部材との配置構成に制約を与えてしまうことになる。
【０００７】
本発明は、このような問題点を解決するためになされたものであり、その目的とするところは、アクチュエータと羽根の両方を、地板の同じ側の面に取り付けるようにすることによって、ユニットの薄型化を図った場合でも、地板の他方の面を略全域にわたって平面状にすることができるようにした好適な構成のカメラ用羽根駆動装置を提供することである。
【課題を解決するための手段】
【０００８】
上記の目的を達成するために、本発明のカメラ用羽根駆動装置は、撮影光路用の開口部を有している地板と、前記撮影光路用の開口部といずれか一方によって露光開口を規制する撮影光路用の開口部を有していて前記地板の一方の面に所定の間隔を空けて取り付けられている隔壁板と、前記地板と前記隔壁板との間に配置されていて前記地板に回転可能に取り付けられている少なくとも１枚の羽根と、前記露光開口の側方位置において前記隔壁板を間にして前記地板に取り付けられている固定子と、前記地板と前記固定子との間において往復回転可能に配置されていてその出力ピンによって前記羽根を露光開口に進退させる永久磁石回転子と、を備えているようにする。
【０００９】
その場合、前記地板の前記一方の面に少なくとも一つの羽根軸が設けられており、前記羽根は、該羽根軸に回転可能に取り付けられ、前記隔壁板は、該羽根軸によって位置決めされているようにすると、コスト的に有利となる。また、前記固定子が、コイルを巻回したボビン部材と、該ボビン部材に取り付けられた少なくとも一つのヨークとからなっていて、該ボビン部材を前記地板に取り付けているようにすると、アクチュエータが扁平に構成され、薄型化に有利となり、且つコストの点でもスペースの点でも有利なものとなる。
【００１０】
また、前記永久磁石回転子が、前記地板又は前記ボビン部材に設けた回転軸に回転可能に取り付けられて、該回転軸の先端部が、前記固定子の前記地板への取付時における位置決めの役目をしているようにすると組立上有利になり、また、前記地板が、切欠部を有していて、そこに、他方の面に突き出ないようにして前記コイルを受け入れているようにすると、薄型化に有利となる。更に、前記羽根と、前記固定子と、前記回転子とが、もう一組備えられているようにすることも可能であって、そのようにしても、薄型化についての有利性は殆ど変わらない。
【発明の効果】
【００１１】
本発明のカメラ用羽根駆動装置によれば、アクチュエータと羽根の両方を、地板の同じ側の面に取り付けるようにしたので、地板の他方の面を略全域にわたって平面状にすることができ、しかも、ユニット自体を薄型化することができるので、特に、薄型のデジタルスチルカメラやカメラ付き携帯用情報端末装置に採用して有効なものである。
【発明を実施するための最良の形態】
【００１２】
本発明の最良の実施形態を、図示した二つの実施例によって説明する。これらの実施例は、シャッタ装置と絞り装置を一つのユニットとして構成したものであり、デジタルスチルカメラにも、カメラ付き携帯用情報端末装置にも、銀塩フィルムカメラにも採用することが可能なものである。しかしながら、結像面にフィルムを配置したカメラと、固体撮像素子を配置したカメラとでは、シャッタ羽根の作動シーケンスが異なる。そこで、作動説明に際しては、両者の場合について説明するのが好ましいとはいえ、それらの差異については、当業者において十分知られていることでもあるので、後者の場合を中心にして説明することにする。
【００１３】
尚、図１〜図４は、実施例１を説明するためのものであり、図１は、固体撮像素子を備えたカメラに採用された場合における撮影前の初期状態を示した平面図であり、図２は、図１の一部を適宜に切断して示した断面図であり、図３は、分解斜視図であり、図４は、シャッタ羽根の閉鎖直後の状態を示した平面図である。また、図５〜図７は、実施例２を説明するためのものであり、図５は、シャッタ羽根の閉鎖直後の状態を示した平面図であり、図６は、図５の一部を適宜に切断して示した断面図であり、図７は、分解斜視図である。
【実施例１】
【００１４】
先ず、本実施例の構成を、主に図３を用いて説明する。本実施例の地板１は、合成樹脂製であって比較的厚い部材であり、略中央に撮影光路用の開口部１ａが形成されている。また、その開口部１ａを間にして、二つの切欠部１ｂ，１ｃが形成されており、同様にして二つの逃げ孔１ｄ，１ｅも形成されている。更に、地板１の一方の面には、一体成形によって、二つの羽根軸１ｆ，１ｇと、二つの回転軸１ｈ，１ｉと、二つの取付部１ｊ，１ｋとが設けられている。それらのうち、羽根軸１ｆ，１ｇは、図２に示された羽根軸１ｆの断面形状からも分かるように、直径の異なる二つの軸部からなる２段軸に形成されている。また、取付部１ｊ，１ｋの先端面には、ねじ孔が形成されている。
【００１５】
永久磁石回転子２，３は、上記の回転軸１ｈ，１ｉに回転可能に取り付けられている。これらの永久磁石回転子２，３は、磁性体材料と合成樹脂材料とを混合して成形加工したもの（プラスチックマグネット，プラマグなどとも言われている）であり、径方向へ張り出した腕部２ａ，３ａの先端には、回転軸１ｈ，１ｉと平行になるようにして、出力ピン２ｂ，３ｂが形成されている。そして、それらの永久磁石回転子２，３は、図２に示された永久磁石回転子２から分かるように、腕部２ａ，３ａを、地板１の反対側の面から突き出ないようにして、逃げ孔１ｄ，１ｅ内に挿入している。
【００１６】
絞り羽根４は、小口径の絞り開口を規制する開口部４ａのほか、孔４ｂと長孔４ｃとを有しており、その孔４ｂを、羽根軸１ｇに形成されている直径の大きな軸部に対して回転可能に嵌合させ、長孔４ｃを、回転子３の出力ピン３ｂに嵌合させている。また、シャッタ羽根５は、孔５ａと長孔５ｂとを有しており、孔５ａを、羽根軸１ｆに形成されている直径の大きな軸部に対して回転可能に嵌合させ、長孔５ｂを、回転子２の出力ピン２ｂに嵌合させている。
【００１７】
このようにして、絞り羽根４とシャッタ羽根５とを順に取り付けた後、軸１ｆ，１ｇには、極めて薄い隔壁板６が取り付けられている。即ち、隔壁板６は、露光開口（大口径の絞り開口）を規制する開口部６ａのほか、二つの孔６ｂ，６ｃと、二つの円弧状の長孔６ｄ，６ｅとを有していて、孔６ｂ，６ｃを、軸１ｆ，１ｇに嵌合させ、長孔６ｄ，６ｅには、出力ピン２ｂ，３ｂを貫通させている。尚、このように、本実施例の場合には、開口部６ａが露光開口を規制しており、開口部１ａは、それよりも遥かに大きく形成されて、ユニットを可能な限りレンズに接近して配置できるようにしている。しかしながら、そのようにする必要のない場合には、開口部６ａよりも開口部１ａの直径を小さくして、開口部１ａが露光開口を規制するようにしても差し支えない。
【００１８】
最後に、同じ構成をした二つの固定子が取り付けられている。先ず、一方の固定子は、合成樹脂製のボビン部材７と、コイル８（図３では図示を省略している）と、略Ｕ字形をした二つのヨーク９，１０とで構成されている。そして、ボビン部材７は、図３から分かるように、くびれた形状の巻回部７ａと二つの孔７ｂ，７ｃとを有していて、巻回部７ａにはコイル８を巻回し、孔７ｂを回転軸１ｈに嵌合させている。また、ヨーク９，１０は、各々の二つの脚部の先端を磁極部として、永久磁石回転子２の円周面に対向させており、各々の一方の脚部を、巻回部７ａの中心に形成された中空部に挿入し、ボビン部材７に取り付けられている。そして、このような構成の固定子は、上記のように、ボビン部材７を回転軸１ｈによって位置決めしておいてから、ねじ１１を孔７ｃに挿入し、取付部１ｊに螺着されている。このとき、図２から分かるように、羽根軸１ｆと出力ピン２ｂの先端は、ボビン部材７から上方へ突き出ていないし、回転軸１ｈの先端も突き出ていない。また、コイル８は、その一部が地板１の切欠部１ｂに入っていて、ユニットの薄型化に寄与している。尚、図１，図４においては、二つのヨーク９，１０のうち、ヨーク１０の平面形状だけを示してある。
【００１９】
他方、もう一方の固定子は、ボビン部材１２と、コイル１３（図３では図示を省略している）と、二つのヨーク１４，１５とで構成されている。そして、ボビン部材１２は、巻回部１２ａにコイル１３を巻回し、孔１２ｂを回転軸１ｉに嵌合させている。また、ヨーク１４，１５は、各々の二つの脚部の先端を磁極部として、永久磁石回転子３の円周面に対向させており、各々の一方の脚部を、巻回部１２ａの中空部に挿入している。そして、この固定子は、ボビン部材１２を回転軸１ｉに位置決めさせ、ねじ１６を孔１２ｃに挿入して、取付部１ｋに螺着されている。このとき、羽根軸１ｇと出力ピン３ｂの先端は、ボビン部材７から上方へ突き出ていないし、回転軸１ｉの先端も突き出ていない。また、コイル１３は、その一部が地板１の切欠部１ｃに入っていて、ユニットの薄型化に寄与している。尚、図１，図４においては、二つのヨーク１４，１５のうち、ヨーク１４の平面形状の一部だけを示してある。
【００２０】
尚、上記のような構成をした二つのアクチュエータは、一般には、ムービングマグネット型モータ，ムービングマグネットモータ，アイリスモータなどと称されている電流制御式のモータであり、永久磁石回転子２，３は、通常、径方向に２極に着磁されており、コイル８，１３に供給される電流の方向に対応した方向へ、所定の角度範囲においてだけ回転させられるモータである。また、この種のモータは、コイル８，１３に電流が供給されていないと、永久磁石回転子２，３の停止位置が不安定になってしまうが、その場合には、固定子に磁性体部材を設けることによって安定化させ得ることが周知となっている。本実施例の場合には、ヨーク９，１０，１４，１５の磁極部の形状によって、そのような働きをさせているが、本発明とは直接関係がないので、詳細な説明は省略する。また、本実施例のモータは、薄型化に好適な扁平型をしているが、この種のモータには、本実施例のような構成のほかにも複数の異なるタイプの構成をしたものが知られている。従って、本発明の駆動源として用いられるアクチュエータは、本実施例のような構成のモータに限定されるものではない。
【００２１】
次に、本実施例の作動を説明するが、既に説明したように、本実施例は、銀塩フィルムカメラに採用することも可能であるが、特に、小型のデジタルスチルカメラや、カメラ付き携帯用情報端末装置に採用して有効な構成をしているので、固体撮像素子を内蔵したカメラの場合で説明することにする。そして、図１は、撮影前の初期状態を示したものである。このとき、絞り羽根４とシャッタ羽根５は、開口部６ａから退いた格納状態になっていて、露光開口を規制する開口部６ａを全開状態（大口径の絞り開口制御状態）にし、固体撮像素子を被写体光にさらさせている。そのため、この初期状態においては、電源がオンになっていると、被写体像をモニターで観察可能となっている。また、このとき、コイル８，１３には通電されていないが、回転子２，３の停止状態は確実に維持されている。
【００２２】
撮影に際してレリーズボタンを押すと、先ず、被写体光の測定結果に基づいて、被写体光の光量を減じて撮影するか、減じないで撮影するかが決定される。そして、被写体光の光量を減じて撮影することになった場合には、最初に絞り羽根４を作動させ、次にシャッタ羽根を作動させるが、被写体光の光量を減じないで撮影する場合には、絞り羽根４を作動させることなく、シャッタ羽根５だけを作動させることになる。そこで、本実施例の作動説明は、両方の羽根４，５を作動させる、被写体光の光量を減じて撮影する場合について説明する。
【００２３】
その場合には、先ず、コイル１３に対して順方向の電流が供給される。それによって、回転子３は、時計方向へ回転し、出力ピン３ｂによって絞り羽根４を反時計方向へ回転させる。そのため、絞り羽根４は、開口部６ａに進入し、開口部４ａの中心が開口部６ａの中心位置に達すると、図示していないストッパに当接して停止する。その後は、コイル１３に対する通電をし続けていても差し支えないが、省電力のために通電を断ったとしても、回転子３の停止状態は確実に維持される。
【００２４】
このようにして、絞り羽根４の作動が停止すると、露光制御回路からの信号によって固体撮像素子に蓄積されていた電荷が放出され、撮影のための露光が開始する。そして、所定の時間が経過すると、露光制御回路からの信号によって、他方のコイル８に対して逆方向の電流が供給される。それにより、回転子２は、反時計方向へ回転させられ、出力ピン２ｂによってシャッタ羽根５を時計方向へ回転させる。そのため、シャッタ羽根５は、開口部６ａに進入させられ、開口部４ａを閉鎖した直後に、図示していないストッパに当接して停止する。その状態が、図４に示された状態である。
【００２５】
開口部４ａが閉鎖すると、その状態において撮像情報が記憶装置に転送される。そして、その転送が終了すると、コイル８に対して、上記の場合とは逆に、順方向の電流が供給される。それによって、回転子２は時計方向へ回転させられ、出力ピン２ｂによってシャッタ羽根５を反時計方向へ回転させるので、シャッタ羽根５は、開口部６ａから退いてゆく。そして、開口部６ａから完全に退いた直後に、図示していないストッパに当接して停止すると、コイル８に対する通電が断たれる。
【００２６】
その後、コイル１３に対して、上記の場合とは逆に、逆方向の電流が供給される。それによって、回転子３は反時計方向へ回転させられ、出力ピン３ｂによって絞り羽根４を時計方向へ回転させる。そのため、絞り羽根４は、開口部６ａから退いてゆき、開口部６ａを全開にした直後に、図示していないストッパに当接して停止する。その後、コイル１３に対する通電を断った状態が、図１に示された初期状態である。尚、上記の説明においては、シャッタ羽根５が図１の位置に復帰した後に、絞り羽根４の戻り作動が開始されるようにしているが、絞り羽根４の戻り作動は、シャッタ羽根５が開口部６ａ（即ち、開口部４ａ）を閉鎖した後であれば、いつ開始するようにしても差し支えない。また、本実施例の場合は、絞り羽根４とシャッタ羽根５は、いかなる作動状態においても、それらの一部が重なっているので、作動中に衝突しあうことがない。
【００２７】
以上のように、これまでは、固体撮像素子を備えたカメラに採用された場合で作動説明をしたが、ここで、銀塩フィルムカメラに採用された場合について簡単に説明をしておく。その場合には、図１において、シャッタ羽根５に、開口部６ａを閉鎖させた状態が初期状態となる。そして、撮影に際してレリーズボタンを押したとき、被写体光の測定結果に基づいて、被写体光の光量を減じないで撮影をすることに決まったときは、シャッタ羽根５に開口部６ａの開き作動と閉じ作動を順に行わせるだけであるが、被写体光の光量を減じて撮影をすることになったときは、先ず、絞り羽根４を作動させ、図４に示された状態にしておいてから、シャッタ羽根５に開き作動と閉じ作動を順に行わせ、最後に、絞り羽根４を開口部６ａから退かせるようにする。
【実施例２】
【００２８】
次に、図５〜図７を用いて実施例２を説明するが、上記の実施例１と本実施例との差異は、実施例１の場合は、回転子２，３が両方とも地板１に取り付けられていたのに対して、本実施例の場合には、ボビン部材７，１２に別々に取り付けられていることである。そのため、本実施例は、その点に関連した一部の部材の構成は異なるものの、殆どの構成は実施例１の場合と同じであり、作動は実施例１の場合と全く同じである。従って、以下においては、実施例１の構成と実質的に同じ部材，部位には同じ符号を付け、異なる点を中心にして説明することにし、作動の説明は省略する。
【００２９】
本実施例の地板１には、実施例１における逃げ孔１ｄ，１ｅと回転軸１ｈ，１ｉが設けられていない。その代わりに、二つの孔１ｍ，１ｎと、円弧状の二つの長孔１ｐ，１ｑが形成されているが、そのほかは、実施例１の場合と同じである。本実施例の絞り羽根４，シャッタ羽根５，隔壁板６は、実施例１の場合と全く同じ形状をしていて、同じようにして地板１の羽根軸１ｆ，１ｇに取り付けられている。また、本実施例の永久磁石回転子２，３も、実施例１の場合と実質的に同じであるが、その取付け方が異なるので、その点については後述する。
【００３０】
また、一方の固定子は、合成樹脂製のボビン部材７と、コイル８と、ヨーク９，１０とで構成されているが、ボビン部材７の形状だけが、実施例１の場合と異なっている。即ち、本実施例のボビン部材７には、実施例１における孔７ｂが設けられておらず、その代わりに、逃げ孔７ｄと回転軸７ｅが設けられていて、その回転軸７ｅに、実施例１の場合とは上下関係を逆にして、回転子２が回転可能に取り付けられている。そして、回転軸７ｅの先端は、地板１の孔１ｍに嵌合され、回転子２の出力ピン２ｂは、隔壁板６の長孔６ｄ，シャッタ羽根５の長孔５ｂ，地板１の長孔１ｐの順に挿入されている。また、このような固定子は、ボビン部材７の回転軸７ｅによって地板１に対する位置決めをし、ねじ１１によって取付部１ｊに螺着されている。そして、その取付状態においては、コイル８の一部が、地板１の切欠部１ｂに入っているが、回転軸７ｅや出力ピン２ｂの先端と共に、地板１の反対側の面には突き出ていない。また、回転子２の腕部２ａは、ボビン部材７の逃げ孔７ｄに入っているが、図６に示されているように、上方には突き出ていない。
【００３１】
他方、もう一方の固定子は、ボビン部材１２の形状だけが、実施例１の場合と異なっていて、実施例１における孔１２ｂが設けられておらず、その代わりに、逃げ孔１２ｄと回転軸１２ｅが設けられており、その回転軸１２ｅに対して、実施例１の場合とは上下関係を逆にして、回転子３が回転可能に取り付けられている。そして、回転軸１２ｅの先端は、地板１の孔１ｎに嵌合され、回転子３の出力ピン３ｂは、隔壁板６の長孔６ｅ，絞り羽根４の長孔４ｃ，地板１の長孔１ｑの順に挿入されている。また、この固定子は、ボビン部材１２の回転軸１２ｅによって地板１に対する位置決めをし、ねじ１６によって取付部１ｋに螺着されている。そして、その取付状態においては、コイル１３の一部が、地板１の切欠部１ｃに入っているが、回転軸１２ｅや出力ピン３ｂの先端と共に、地板１の反対側の面には突き出ていない。また、回転子３の腕部３ａは、ボビン部材１２の逃げ孔１２ｄに入っているが、上方には突き出ていない。このことから、本実施例における二つの出力ピン２ｂ，３ｂは、いずれも、実施例１の場合よりも長く形成されていることになる。
【００３２】
尚、上記の各実施例においては、アクチュエータとして、ムービングマグネット型モータなどと称されている電流制御式モータを用いているが、銀塩フィルムカメラやデジタルスチルカメラに採用する場合には、小型のステップモータやＤＣモータを用いることも可能である。また、上記の各実施例は、シャッタ装置と絞り装置を一つのユニットに構成しているが、本発明は、各々を別のユニットとして構成しても差し支えない。また、上記の各実施例における絞り羽根４に、開口部４ａを覆うようにしてＮＤフィルタ板を取り付ければ、フィルタ装置とすることも可能であり、本発明は、そのような構成も含めて、フィルタ装置としても差し支えない。
【００３３】
更に、上記の各実施例におけるシャッタ装置は、１枚のシャッタ羽根５を採用しているが、本発明は、相反する方向へ作動する周知の２枚一組のシャッタ羽根を採用するようにしても差し支えない。このことは、絞り装置における絞り羽根の場合も同じである。そして、それらの場合には、２枚の羽根を、相反する方向へ回転させるようにしても、相反する方向へ直線的に作動させるようにしても構わない。
【図面の簡単な説明】
【００３４】
【図１】撮影前の初期状態を示した実施例１の平面図である。
【図２】図１の一部を適宜に切断して示した断面図である。
【図３】実施例１の分解斜視図である。
【図４】シャッタ羽根の閉鎖直後の状態を示した実施例１の平面図である。
【図５】シャッタ羽根の閉鎖直後の状態を示した実施例２の平面図である。
【図６】図５の一部を適宜に切断して示した断面図である。
【図７】実施例２の分解斜視図である。
【符号の説明】
【００３５】
１                              地板
１ａ，４ａ，６ａ                開口部
１ｂ，１ｃ                      切欠部軸
１ｄ，１ｅ，７ｄ，１２ｄ        逃げ孔
１ｆ，１ｇ                      羽根軸
１ｈ，１ｉ，７ｅ，１２ｅ        回転軸
１ｊ，１ｋ                      取付部
１ｍ，１ｎ，４ｂ，５ａ，６ｂ，６ｃ，７ｂ，７ｃ  孔
１ｐ，１ｑ，４ｃ，５ｂ，６ｄ，６ｅ  長孔
２，３                          永久磁石回転子
２ａ，３ａ                      腕部
２ｂ，３ｂ                      出力ピン
４                              絞り羽根
５                              シャッタ羽根
６                              隔壁板
７，１２                        ボビン部材
７ａ，１２ａ                    巻回部
８，１３                        コイル
９，１０，１４，１５            ヨーク
１１，１６                      ねじ
【図１】
2005156616.tif 000003
【図２】
2005156616.tif 000004
【図３】
2005156616.tif 000005
【図４】
2005156616.tif 000006
【図５】
2005156616.tif 000007
【図６】
2005156616.tif 000008
【図７】
2005156616.tif 000009